【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
生体内バルーン拡張プロファイルを測定するための診断キットであって、
少なくとも１つの感知要素を伴う、バルーンであって、前記少なくとも１つの感知要素が、バルーン寸法を表す、少なくとも１つの属性によって特徴付けられる、バルーンと、
前記属性に対して観察された属性値を測定するための測定モジュールと、
前記観察された属性値を処理し、１つ以上の出力として、前記バルーン拡張プロファイルを推定するためのプロセッサモジュールと
を含む、診断キット。
【請求項２】
前記１つ以上の出力を表示するためのディスプレイモジュールをさらに含む、請求項１に記載の診断キット。
【請求項３】
前記プロセッサモジュールはさらに、前記観察された属性値を所望の属性値と比較するように構成される、請求項１に記載の診断キット。
【請求項４】
前記少なくとも１つの感知要素は、少なくとも２つの電極を含む、請求項１に記載の診断キット。
【請求項５】
前記少なくとも１つの属性は、前記少なくとも２つの電極間の電気抵抗である、請求項４に記載の診断キット。
【請求項６】
前記少なくとも１つの属性は、前記少なくとも２つの電極間の電気静電容量である、請求項４に記載の診断キット。
【請求項７】
前記少なくとも１つの属性は、前記少なくとも２つの電極間の共振周波数である、請求項４に記載の診断キット。
【請求項８】
前記少なくとも１つの感知要素は、前記バルーンの表面に搭載される、請求項１に記載の診断キット。
【請求項９】
前記少なくとも１つの感知要素は、前記バルーンの内側に存在する、請求項１に記載の診断キット。
【請求項１０】
前記測定モジュールはさらに、前記バルーン拡張プロファイルの変化を測定するように構成される、請求項１に記載の診断キット。
【請求項１１】
前記プロセッサモジュールはさらに、前記バルーン寸法の変化に対して、所定の場所を参照して、方向を推定するように構成される、請求項１０に記載の診断キット。
【請求項１２】
前記測定モジュールはさらに、単一場所において、前記観察された属性を測定するように構成される、請求項１に記載の診断キット。
【請求項１３】
前記測定モジュールはさらに、複数の場所において、前記観察された属性を測定するように構成される、請求項１に記載の診断キット。
【請求項１４】
前記少なくとも１つの感知要素は、前記バルーンの一体型構成要素である、請求項１に記載の診断キット。
【請求項１５】
前記少なくとも１つの感知要素は、前記バルーン内に統合される圧電材料である、請求項１４に記載の診断キット。
【請求項１６】
前記少なくとも１つの感知要素は、前記バルーンの壁内に埋設された容量要素である、請求項１４に記載の診断キット。
【請求項１７】
前記少なくとも１つの感知要素は、前記バルーンの表面の円周の少なくとも一部に沿って埋設された弾性抵抗要素である、請求項１に記載の診断キット。
【請求項１８】
少なくとも１つのバルーン拡張プロファイルを測定するための少なくとも１つの感知要素を有する、バルーンを含む、診断デバイス。
【請求項１９】
前記少なくとも１つの感知要素は、少なくとも２つの電極を含む、請求項１８に記載の診断デバイス。
【請求項２０】
前記少なくとも１つの感知要素は、前記バルーンの一体型構成要素である、請求項１８に記載の診断デバイス。
【請求項２１】
前記少なくとも１つの感知要素は、前記バルーン内に統合された圧電材料である、請求項１８に記載の診断デバイス。
【請求項２２】
前記少なくとも１つの感知要素は、前記バルーンの壁内に埋設された容量要素である、請求項２０に記載の診断デバイス。
【請求項２３】
前記少なくとも１つの感知要素は、前記バルーンの表面の円周の少なくとも一部に沿って埋設された弾性抵抗要素である、請求項１８に記載の診断デバイス。
【請求項２４】
前記少なくとも１つの属性は、前記少なくとも２つの電極間で測定された電圧差である、請求項４に記載の診断キット。
【請求項２５】
前記バルーン拡張プロファイルは、前記バルーンの１つの軸に沿った寸法である、請求項１に記載の診断キット。
【手続補正２】
【補正対象書類名】明細書
【補正対象項目名】００２０
【補正方法】変更
【補正の内容】
【００２０】
本発明は、例えば、以下を提供する：
（項目１）
生体内バルーン拡張プロファイルを測定するための方法であって、
バルーンに、少なくとも１つの感知要素を提供するステップであって、前記少なくとも１つの感知要素が、バルーン寸法を表す、少なくとも１つの属性によって特徴付けられる、ステップと、
前記少なくとも１つの属性を測定し、観察された属性値を取得するステップと、
前記観察された属性値に基づいて、前記バルーン寸法および前記バルーン拡張プロファイルを推定するステップと
を含む、方法。
（項目２）
前記少なくとも１つの感知要素は、少なくとも２つの電極を含む、項目１に記載の方法。
（項目３）
前記少なくとも１つの属性は、前記少なくとも２つの電極間のインピーダンスである、項目２に記載の方法。
（項目４）
前記少なくとも１つの属性は、前記少なくとも２つの電極間の電圧差である、項目２に記載の方法。
（項目５）
前記少なくとも１つの属性は、前記少なくとも２つの電極間の共振周波数である、項目２に記載の方法。
（項目６）
前記少なくとも１つの属性は、前記バルーン寸法の変化を測定するために使用される、項目１に記載の方法。
（項目７）
前記バルーン寸法の変化に対して、所定の場所を参照して、方向を推定するステップをさらに含む、項目６に記載の方法。
（項目８）
前記変化は、前記バルーンの拡張を表す、項目６に記載の方法。
（項目９）
前記バルーン拡張プロファイルは、前記バルーンの１つの軸に沿った寸法である、項目１に記載の方法。
（項目１０）
単一場所において、前記観察された属性を測定するステップをさらに含む、項目１に記載の方法。
（項目１１）
複数の場所において、前記観察された属性を測定するステップをさらに含む、項目１に記載の方法。
（項目１２）
生体内バルーン拡張プロファイルを測定するための診断キットであって、
少なくとも１つの感知要素を伴う、バルーンであって、前記少なくとも１つの感知要素が、バルーン寸法を表す、少なくとも１つの属性によって特徴付けられる、バルーンと、
前記属性に対して観察された属性値を測定するための測定モジュールと、
前記観察された属性値を処理し、１つ以上の出力として、前記バルーン拡張プロファイルを推定するためのプロセッサモジュールと
を含む、診断キット。
（項目１３）
前記１つ以上の出力を表示するためのディスプレイモジュールをさらに含む、項目１２に記載の診断キット。
（項目１４）
前記プロセッサモジュールはさらに、前記観察された属性値を所望の属性値と比較するように構成される、項目１２に記載の診断キット。
（項目１５）
前記少なくとも１つの感知要素は、少なくとも２つの電極を含む、項目１２に記載の診断キット。
（項目１６）
前記少なくとも１つの属性は、前記少なくとも２つの電極間の電気抵抗である、項目１５に記載の診断キット。
（項目１７）
前記少なくとも１つの属性は、前記少なくとも２つの電極間の電気静電容量である、項目１５に記載の診断キット。
（項目１８）
前記少なくとも１つの属性は、前記少なくとも２つの電極間の共振周波数である、項目１５に記載の診断キット。
（項目１９）
前記少なくとも１つの感知要素は、前記バルーンの表面に搭載される、項目１２に記載の診断キット。
（項目２０）
前記少なくとも１つの感知要素は、前記バルーンの内側に存在する、項目１２に記載の診断キット。
（項目２１）
前記測定モジュールはさらに、前記バルーン拡張プロファイルの変化を測定するように構成される、項目１２に記載の診断キット。
（項目２２）
前記プロセッサモジュールはさらに、前記バルーン寸法の変化に対して、所定の場所を参照して、方向を推定するように構成される、項目２１に記載の診断キット。
（項目２３）
前記測定モジュールはさらに、単一場所において、前記観察された属性を測定するように構成される、項目１２に記載の診断キット。
（項目２４）
前記測定モジュールはさらに、複数の場所において、前記観察された属性を測定するように構成される、項目１２に記載の診断キット。
（項目２５）
前記少なくとも１つの感知要素は、前記バルーンの一体型構成要素である、項目１２に記載の診断キット。
（項目２６）
前記少なくとも１つの感知要素は、前記バルーン内に統合される圧電材料である、項目２５に記載の診断キット。
（項目２７）
前記少なくとも１つの感知要素は、前記バルーンの壁内に埋設された容量要素である、項目２５に記載の診断キット。
（項目２８）
前記少なくとも１つの感知要素は、前記バルーンの表面の円周の少なくとも一部に沿って埋設された弾性抵抗要素である、項目１２に記載の診断キット。
（項目２９）
少なくとも１つのバルーン拡張プロファイルを測定するための少なくとも１つの感知要素を有する、バルーンを含む、診断デバイス。
（項目３０）
前記少なくとも１つの感知要素は、少なくとも２つの電極を含む、項目２９に記載の診断デバイス。
（項目３１）
前記少なくとも１つの感知要素は、前記バルーンの一体型構成要素である、項目２９に記載の診断デバイス。
（項目３２）
前記少なくとも１つの感知要素は、前記バルーン内に統合された圧電材料である、項目３１に記載の診断デバイス。
（項目３３）
前記少なくとも１つの感知要素は、前記バルーンの壁内に埋設された容量要素である、項目３１に記載の診断デバイス。
（項目３４）
前記少なくとも１つの感知要素は、前記バルーンの表面の円周の少なくとも一部に沿って埋設された弾性抵抗要素である、項目２９に記載の診断デバイス。
一側面では、本発明は、生体内バルーン拡張プロファイルを測定するための方法を提供する。方法は、バルーンに、少なくとも１つの感知要素を提供するステップであって、少なくとも１つの感知要素が、バルーン寸法を表す、少なくとも１つの属性によって特徴付けられる、ステップと、少なくとも１つの属性を測定し、観察された属性値を取得するステップと、観察された属性値に基づいて、バルーン寸法およびバルーン拡張プロファイルを推定するステップと、を備える。